(57)【要約】【課題】梱包時、搬送時等にスペースおよび梱包材料の無駄を省くことができる照明器具を提供する。【解決手段】灯具３０を取り付けるプレート状の器具本体２０に設けられている器具本体取付用の器具取付部材２２を、器具本体２０に対して可動としたので、搬送時や保管時等の梱包時には器具取付部材２２を器具本体側へ移動させることができる。これにより、全体を薄くすることができ、梱包材料を少なくするとともに、保管スペースを省スペース化することができる。【選択図】図１
2012113928.tif 000002
【特許請求の範囲】
【請求項１】
灯具を着脱可能に取り付けるための灯具取付部を有するプレート状の器具本体と、
前記器具本体を被取付部に取り付けるための器具取付部材と、を有し、
前記器具取付部材が前記器具本体に対して可動である照明器具。
【請求項２】
請求項１に記載の照明器具において、
前記器具取付部材は、前記器具本体側に開口するコ字形状を呈しており、前記器具本体内に収容されるように折り畳み可能である照明器具。
【請求項３】
請求項１または請求項２に記載の照明器具において、
前記器具本体には、前記器具取付部材が設けられている面に側壁が設けられ、
前記器具取付部材の幅は、前記器具本体の前記側壁の高さよりも小さい照明器具。
【請求項４】
請求項１ないし請求項３のいずれか１項に記載の照明器具において、
前記灯具取付部は前記灯具を取り付けるための取付孔を有しており、
前記器具取付部材は、折り畳んだ際に前記取付孔に被らない照明器具。
【発明の詳細な説明】
【技術分野】
【０００１】
本発明は，プレート状の器具本体に灯具を取り付けた照明器具に関するものである。
【背景技術】
【０００２】
従来より、灯具をプレート状の器具本体に取り付ける照明器具が知られている（例えば、特許文献１参照）。
図３に示すように、特許文献１に記載の照明器具１００は、天井１０１に設けられている既設のダウンライトの埋込孔１０２に、外径が異なる灯具１０３を取り付けるものである。
この照明器具１００では、短辺が埋込孔１０２の直径より短く、長辺が埋込孔１０２の直径より長い取付金具１０４を作成し、中央に新設用埋込孔１０５を設けるとともに、新設用埋込孔１０５に対して対称位置に取り付け用の角穴１０６を設ける。この取付金具１０４を埋込孔１０２に長手方向に沿って挿入し、埋込孔１０２を跨いで掛け渡す。
【０００３】
一方、外径が埋込孔１０２の内径よりも大きく、中央に灯具１０３を取り付けるダウンライト用埋込孔１０７を有するリング状の天井取付枠１０８を作成し、裏面に一対の取付ばね１０９を設ける。この天井取付枠１０８を取付ばね１０９で取付金具１０４に取り付け、最後に，灯具１０３を天井取付枠１０８のダウンライト用埋込孔１０７に取り付ける。
これにより、既設のダウンライトの埋込孔１０２に、外径が異なる灯具１０３を取り付けることができる。
【先行技術文献】
【特許文献】
【０００４】
【特許文献１】特開２００４−２０７１９１号公報（第１図）
【発明の概要】
【発明が解決しようとする課題】
【０００５】
ところで、図４に示すように、プレート状の器具本体１１１を有する新設用の照明器具１１０においては、器具本体１１１を取り付けるための取付金具１１２が溶接等により器具本体１１１に取り付けられる場合がある。このような場合には、照明器具１１０の運搬や保管等に当たっては、図４中二点鎖線で示す大きさの梱包箱１１３が必要となり、梱包箱１１３の内部に、大きな無駄な空間を有するという問題があった。
なお、器具本体１１１には、灯具１１４取付用の取付孔１１５が一対設けられており、各取付孔１１５には一対の灯具取付具１１６が設けられている。
【０００６】
本発明は、従来の問題を解決するためになされたもので、梱包時、搬送時等にスペースおよび梱包材料の無駄を省くことができる照明器具を提供することを目的とする。
【課題を解決するための手段】
【０００７】
本発明の照明器具は、灯具を着脱可能に取り付けるための灯具取付部を有するプレート状の器具本体と、前記器具本体を被取付部に取り付けるための器具取付部材と、を有し、前記器具取付部材が前記器具本体に対して可動であるものである。
【０００８】
また、本発明の照明器具は、前記器具取付部材は、前記器具本体側に開口するコ字形状を呈しており、前記器具本体内に収容されるように折り畳み可能であるものである。
【０００９】
また、本発明の照明器具は、前記器具本体には、前記器具取付部材が設けられている面に側壁が設けられ、前記器具取付部材の幅は、前記器具本体の前記側壁の高さよりも小さいものである。
【００１０】
さらに、本発明の照明器具は、前記灯具取付部は前記灯具を取り付けるための取付孔を有しており、前記器具取付部材は、折り畳んだ際に前記取付孔に被らないものである。
【発明の効果】
【００１１】
本発明は、灯具を取り付けるプレート状の器具本体に設けられている器具本体取付用の器具取付部材を、器具本体に対して可動としたので、搬送時や保管時等の梱包時には器具取付部材を器具本体側へ移動させることができる。これにより、全体を薄くすることができ、梱包材料を少なくするとともに、保管スペースを省スペース化することができるという効果を有する照明器具を提供できる。
【図面の簡単な説明】
【００１２】
【図１】本発明に係る実施形態の照明器具のアームを立てた状態を上方から見た斜視図
【図２】アームを収納した器具本体を上方から見た斜視図
【図３】従来のダウンライトの分解斜視図
【図４】従来の照明器具の問題点を示す説明図
【発明を実施するための形態】
【００１３】
以下、本発明に係る実施形態の照明器具について、図面を用いて説明する。
図１に示すように、本発明に係る実施形態の照明器具１０は、例えば、被取付部である天井面に設けられた埋込孔に取り付けて下方を照らすダウンライトとして用いることができる。
【００１４】
照明器具１０は、天井面等に取り付けられる器具本体２０と、器具本体２０に着脱可能に取り付けられる灯具３０を有する。
器具本体２０は、矩形プレート状のベースプレート２１と、器具本体２０を天井面に取り付けるために設けられ、ベースプレート２１側に開口する全体コ字形状の薄板からなる器具取付部材としての一対のアーム２２、２２を有する。アーム２２の上辺２２１には、取付用のネジ穴２２２が設けられている。
【００１５】
ベースプレート２１には、外周縁に沿って上方へ延びる側壁２１１が設けられており、内部には、灯具３０を取り付けるための灯具取付部である一対の取付孔２３、２３と、各取付孔２３の対向する側に設けられている一対の灯具取付具２４、２４を有する。取付具２４は、ベースプレート２１の上面との間に空間２４１を有する。
一方、灯具３０は、下端面に鍔部材３３を有する円筒形状をしており、外周面３１には、取付金具３２が少なくとも２個設けられている。取付金具３２は、バネ等の付勢部材（図示省略）により鉛直下方へ閉じるように付勢されており、水平方向へ回動可能に支持されている。また、外周面３１に沿って上下移動可能に設けられている。
【００１６】
ベースプレート２１の側壁２１１には、取付孔２３を挟んで両側にブラケット２５が取り付けられており、このブラケット２５にはアーム２２の下端部が回動軸２６により回動可能に取り付けられている。
また、側壁２１１の高さＨは、アーム２２の幅Ｂよりも大きく形成されており、図２に示すように，アーム２２をベースプレート２１側（図２中矢印方向）に回動させて折り畳んだ際に、アーム２２は側壁２１１高さに完全に収容される。
なお、アーム２２は、折り畳んだ際に取付孔２３に被らないものが望ましい。
【００１７】
従って、照明器具１０を天井に設けられている埋込孔に取り付ける際には、まず、アーム２２を器具本体２０から起こしておいて、天井の埋込孔にアーム２２を挿入し、器具本体２０の取付孔２３からアーム２２のネジ穴２２２を埋込孔の構造部材にネジ止めする。これにより、器具本体２０を取り付けることができる。
次いで、灯具３０を、下方から器具本体２０の取付孔２３に挿入し、鍔部材３３の上面がベースプレート２１の下面に当接するまで上昇させ（図１における矢印参照）、取付金具３２をベースプレート２１の灯具取付具２４に引っ掛ける。これにより、照明器具１０を取り付けることができる。
【００１８】
また、照明器具１０を取り外す際には、灯具３０を引き下げることにより取付金具３２を灯具３０に対して相対的に上昇させた後に、灯具３０を押し上げることにより取付金具３２を灯具３０側に押し付けて引き抜くことにより、灯具３０を器具本体２０から取り外すことができる。
そして、器具本体２０を取り外す際には、取付孔２３から、アーム２２を固定しているネジを取り外して、器具本体２０を取り外す。
【００１９】
以上、説明した本発明に係る実施形態の照明器具１０によれば、灯具３０を取り付けるプレート状の器具本体２０に設けられている器具本体取付用のアーム２２を、器具本体２０に対して可動としたので、搬送時や保管時等の梱包時にはアーム２２を器具本体２０側へ移動させることができる。
これにより、全体を薄くすることができ、梱包材料を少なくするとともに、搬送スペースおよび保管スペースを省スペース化することができる。
【００２０】
また、アーム２２は器具本体２０側に開口するコ字形状を呈しており、器具本体２０内に収容されるように折り畳み可能であるので、搬送時や保管時にはアーム２２を器具本体２０に収容して、全体を薄くすることができ、梱包材料を少なくするとともに、搬送スペースおよび保管スペースを省スペース化することができる。
【００２１】
また、器具本体２０には側壁２１１が設けられており、アーム２２の幅Ｂは側壁２１１の高さＨよりも小さいので、折り畳んだアーム２２は，器具本体２０の厚み（側壁２１１の高さ）の内部に収容される。
このため、アーム２２を折り畳んだ時の器具本体２０の厚みは、変わらず器具本体２０の厚みそのものである。
【００２２】
さらに、器具本体２０の取付孔２３は、灯具３０を取り付けるための取付孔２３を有しており、アーム２２は、折り畳んだ際に取付孔２３に被らないように配設されている。
【００２３】
なお、本発明の照明器具は、前述した実施形態に限定されるものでなく、適宜な変形，改良等が可能である。
例えば、前述した実施形態において、円筒形状の灯具３０およびこれに対応して円形の取付孔２３を例示したが、本発明は、他の形状の灯具およびこれに対応した取付孔にも適用可能である。
また、前述した実施形態においては、２個の灯具３０を搭載する場合について説明したが、個数は任意である。
また、前述した実施形態においては、２個のアーム２２を設けた場合について説明したが、個数は任意である。また、アーム２２の形状もコ字状に限るものではない。
【符号の説明】
【００２４】
１０  照明器具
２０  器具本体
２１１  側壁
２２  アーム（器具取付部材）
２３  取付孔（灯具取付部）
２４  灯具取付具（灯具取付部）
３０  灯具
Ｂ  器具取付部材の幅
Ｈ  側壁の高さ
【図１】
2012113928.tif 000003
【図２】
2012113928.tif 000004
【図３】
2012113928.tif 000005
【図４】
2012113928.tif 000006